(57)【要約】【課題】  ラベルを剥離したときに、ラベル裏面のくじ部に隠された「あたり」の文字等が浮かび上がるようにしたキャンペーンラベルを提供する。【解決手段】  帯状の糊なし部４を設けたキャンペーンラベル１の糊面３に、糊なし部４に交差する帯状の剥離ニス部５を印刷し、前記糊なし部４と剥離ニス部５が交差し重なりある部分６に剥離ニスにて「あたり」の文字等を抜き文字印刷してあり、抜き文字部を鉛筆等で擦ることで「あたり」の文字等を浮き上がらせるようにした。また、「あたり」の文字等を剥離ニスにて凸印刷してあり、鉛筆等で擦ることで凸印刷した文字以外の部分が塗りつぶされて、「あたり」の文字等が浮き上がるようにした。【選択図】  図１
2009086477.tif 000002
【特許請求の範囲】
【請求項１】
帯状の糊なし部を設けた粘着ラベルの糊面に、該糊なし部に交差する帯状の剥離ニス部を設け、前記糊なし部と剥離ニス部が重なり合う部分に前記剥離ニスにて抜き文字印刷することにより、抜き文字部を鉛筆等で擦ることにより判別可能としたキャンペーンラベル。
【請求項２】
前記抜き文字印刷は、あたり又ははずれの文字若しくは懸賞番号、或いはその他の情報である請求項１に記載のキャンペーンラベル。
【請求項３】
帯状の糊なし部を設けた粘着ラベルの糊面に、該糊なし部に交差する帯状の剥離ニス部を設け、糊なし部と剥離ニス部が重なり合う部分に前期剥離ニスにて文字印刷することにより、印刷された文字を除く部分を鉛筆等で擦ることによりにより判別可能としたキャンペーンラベル。
【請求項４】
前記文字印刷は、あたり又ははずれの文字若しくは懸賞番号、或いはその他の情報である請求項３に記載のキャンペーンラベル。
【請求項５】
交差する前記帯状の糊なし部と帯状の剥離ニス部の重なり合う部分に、くじ部を示す表示が有色で印刷されている請求項１又は３に記載のキャンペーンラベル。
【請求項６】
前記くじ部を示す表示は、枠を印刷した表示である請求項１又は３に記載のキャンペーンラベル。
【発明の詳細な説明】
【技術分野】
【０００１】
本発明は、商品の販売促進用のキャンペーンに用いるラベルであって、ラベルを剥離したときに、裏面に隠された「あたり」の文字や懸賞番号等のメッセージが浮かび上がるように構成されたキャンペーンラベルに関する。
【背景技術】
【０００２】
従来、スクラッチインキで懸賞番号や「あたり」の文字を隠したスクラッチラベルや、多層ラベルの内側に懸賞番号や「あたり」の文字を隠したラベルが知られている。このスクラッチラベルでは、文字等が隠された部分を硬貨で擦ることにより「あたり」の文字や懸賞番号等が浮かび上がるように構成されており、多層ラベルにあっては、表面ラベルを剥がすことにより内側に隠された「あたり」の文字や懸賞番号等が現れる仕組みである。
例えば、特開２００３−２５５８３７号公報（特許文献１）や特開２００５−１７３３０４号公報（特許文献２）他がある。
【０００３】
しかし、スクラッチラベルでは硬貨で擦った削りかすが出て好ましくなく、多層ラベルでは一旦剥がして貼り直すいたずらに晒される危険があったり、ラベル自体が高価であるという問題があった。
【特許文献１】特開２００３−２５５８３７号公報
【特許文献２】特開２００５−１７３３０４号公報
【発明の開示】
【発明が解決しようとする課題】
【０００４】
そこで本発明は、裏面に「あたり」の文字や懸賞番号等をニスにて透明印刷し、消費者はラベルを剥がした後、鉛筆等でくじ部を擦ることにより、透明印刷された情報が浮き上がって、「あたり」の文字等のメッセージを見られるようにすることにより上記の問題を解決するものである。
【課題を解決するための手段】
【０００５】
即ち、請求項１に係る本発明は、帯状の糊なし部を設けた粘着ラベルの糊面に、該糊なし部に交差する帯状の剥離ニス部を設け、前記糊なし部と剥離ニス部が重なり合う部分に前記剥離ニスにて抜き文字印刷することにより、抜き文字部を鉛筆等で擦ることにより判別可能としたキャンペーンラベルとしたものである。その場合、前記抜き文字印刷は「あたり」又は「はずれ」の文字、若しくは懸賞番号、或いはその他の情報としたものである。
【０００６】
また、本発明は、帯状の糊なし部を設けた粘着ラベルの糊面に、該糊なし部に交差する帯状の剥離ニス部を設け、糊なし部と剥離ニス部が重なり合う部分に前期剥離ニスにて文字印刷することにより、文字部を除く部分を鉛筆等で擦ることにより判別可能としたキャンペーンラベルとしたものである。その場合、前記文字印刷は「あたり」又は「はずれ」の文字、若しくは懸賞番号、或いはその他の情報としたものである。
【０００７】
更に、本発明では、交差する前記帯状の糊なし部と帯状の剥離ニス部の重なり合う部分に、くじ部を示す表示が有色で印刷されているキャンペーンラベルとしたものである。
【０００８】
更に、前記くじ部を示す表示は、枠を印刷した表示のキャンペーンラベルとしたものである。
【発明の効果】
【０００９】
本発明のキャンペーンラベルによれば、予めラベルの裏面に「あたり」の文字や懸賞番号等のメッセージが透明ニスにて印刷されているので、商品を購入した消費者はラベルを剥がした後、鉛筆等でくじ部を擦ることにより、透明印刷されている情報が浮き上がって「あたり」の文字等のメッセージが見られるようになる。
【００１０】
特に、請求項１の本発明によれば、「あたり」の文字等は透明ニスにて抜き文字印刷されているので、くじ部を鉛筆等で擦ることで抜き文字印刷された「あたり」の文字等が塗りつぶされて黒く現われ、あたりくじであることが判明する。
【００１１】
また、請求項２の本発明によれば、「あたり」の文字等は透明ニスにて文字印刷されているので、くじ部を鉛筆等で擦ることで印刷された文字部分を除く部分が塗りつぶされて黒く現われ、透明ニスにて印刷された「あたり」の文字が浮き上がって現われ、あたりくじであることが判明する。
【００１２】
更に、ラベルの裏面にはくじ部を示す枠等の表示が有色で印刷されているので、鉛筆で擦る部分が特定され、一目瞭然となる。
【発明を実施するための最良の形態】
【００１３】
以下、本発明を実施するための最良の形態について説明する。
図１は、本発明に係るキャンペーンラベル１の第一実施例を示すラベルの裏面図、図２は同様に第二実施例を示すラベルの裏面図である。
本発明のキャンペーンラベル１は、粘着ラベルであって、図示しないが表面には商品の名称や図案などが印刷されたラベル基材２の背面に、粘着剤が塗布された糊面３を有し、離型処理された台紙（図示略）に積層され、１枚ごと或いは複数枚ごとに台紙上に担持されている。
【００１４】
図１のラベルにおいて、キャンペーンラベル１の背面の糊面３には、ラベルの幅方向に帯状の糊なし部４が形成され、該糊なし部４に交差する帯状の剥離ニス部５が流れ方向（図では縦方向）に印刷され、帯状の糊なし部４と帯状の剥離ニス部５が交差し、重なり合う部分６を形成している。
【００１５】
図２のラベルは図１のラベルと逆に、キャンペーンラベル１の背面の糊面３には、流れ方向（図では縦方向）に帯状の糊なし部４が形成され、該糊なし部４に交差する帯状の剥離ニス部５がラベル１の幅方向に印刷され、帯状の糊なし部４と帯状の剥離ニス部５が交差し、重なり合う部分６を形成している。
【００１６】
図１及び図２のラベルにおいて、前記重なり合う部分６には、くじ部７を示すための表示が有色で印刷されている。より具体的に、くじ部７を示すための表示は枠８としている。枠８は方形状であっても円形状であっても構わない。透明の剥離ニスにより印刷されたくじ部は肉眼では判別が難しいことからくじ部の場所を明確に指示する必要がある。
【００１７】
図１及び図２のラベルにおいて、交差する帯状の糊なし部４と帯状の剥離ニス部は直交する必要はなく、重なり合う部分６を有して交差していれば良い。また、交差する位置は図１及び図２に示すような一側に偏る必要もなく、ラベルの形状、デザイン等により任意に設定できる。
【００１８】
更に、図３に示すように、帯状の糊なし部４と帯状の剥離ニス部５が交差し、重なり合う部分６には、剥離ニスにてベタ抜きの文字印刷９が施されている。抜き文字印刷された部分は、鉛筆Ｐ等で擦ることで抜き文字部９ａが黒色に塗りつぶされて、予め印刷されている「あたり」の文字やあたりの懸賞番号等のメッセージが現われる（図４、図５参照）。図５はベタ抜き印刷された「あたり」の文字が鉛筆で黒く塗りつぶされた状態を示す。
【００１９】
また、はずれくじの場合も、前記あたりくじの場合と同様に、鉛筆で塗りつぶすことにより「はずれ」も文字等が浮きあがるように構成しても良い。しかし、図６及び図７に示すように、くじ部７に一切の文字印刷をしない場合、剥離ニス印刷面１０が露呈するのみであるため、鉛筆Ｐ等で擦っても塗りつぶすことができず、何の文字等も現われず、はずれくじであることを明示する方法も選択できる。
【００２０】
尚、図８、図９は帯状の糊なし部４と剥離ニス部５が交差し重なり合う部分６に、剥離ニスにて「あたり」の文字が凸印刷１１された例を示す。従って、鉛筆Ｐ等でくじ部を擦った場合、「あたり」の文字を除く部分１２が黒く塗りつぶされて、「あたり」の文字が浮き上がって現われ、あたりくじであることが判明する。
【００２１】
また、くじ部を擦る筆記具として鉛筆Ｐを例示したが、黒色ボールペンや水性ペンも使用可能である。只、糊なし部４の表面処理の仕方によっては「あたり」の文字が明瞭に浮き出ない場合もあり、鉛筆による擦りが最も効果的であることが判明した。
【００２２】
尚、本発明の場合、消費者が店頭でキャンペーンラベル１の貼着された商品を購入し、キャンペーンラベル１を、その案内に従って剥離し表裏を反転すると該ラベル１の裏面にくじ部７が現われる。該くじ部７は、その場所を特定し明確化するために枠８が有色で印刷されており、この枠８内を鉛筆等で擦るよう案内表示が別途印刷されている。
【００２３】
上記した本発明の実施例では、当たりくじの場合のみ「あたり」の文字が浮き上がって現われる構成を説明したが、これに限定する趣旨ではなく、はずれくじであっても、「はずれ」の文字が浮き上がって現われるようにすることも可能であり、「あたり」、「はずれ」の両方の文字が浮き上がって現われるようすることも自在であって、いずれも本発明に含まれる。
【００２４】
また、本発明で、文字印刷されるあたりの文字は、「あたり」の他、「当り」、「合格」等の文字情報の表記を含むものであり、はずれの文字は、「はずれ」の他に、「外れ」、「残念」等の文字情報を含むものである。
【００２５】
尚、本発明のキャンペーンラベルは販促用のくじ付きラベルとして説明してきたが、くじ以外でも、例えば、ラベルの真贋判定用にも使用でき、その用途を限定されることはない。
【図面の簡単な説明】
【００２６】
【図１】本発明の実施例１のキャンペーンラベルの裏面図である。
【図２】同実施例２のキャンペーンラベルの裏面図である。
【図３】同実施例１及び実施例２のキャンペーンラベルのくじ部の断面を誇張して示す説明図である。
【図４】同実施例１及び実施例２のキャンペーンラベルのくじ部のベタ抜き文字の説明図である。
【図５】同実施例１及び実施例２のキャンペーンラベルのくじ部の抜き文字部を鉛筆で擦ったときの説明図である。
【図６】「はずれ」のキャンペーンラベルの断面を誇張して示す説明図である。
【図７】「はずれ」の場合のくじ部の説明図である。
【図８】「あたり」の文字を凸印刷したキャンペーンラベルの断面を誇張して示す説明図である。
【図９】「あたり」の文字を凸印刷したときにくじ部を鉛筆で擦った状態の説明図である。
【符号の説明】
【００２７】
１    キャンペーンラベル
２    ラベル基材
３    糊部
４    帯状の糊なし部
５    帯状の剥離ニス部
６    重なり合う部分
７    くじ部
８    枠
９    抜き文字印刷
９ａ    抜き文字部
１１    凸印刷    
【図１】
2009086477.tif 000003
【図２】
2009086477.tif 000004
【図３】
2009086477.tif 000005
【図４】
2009086477.tif 000006
【図５】
2009086477.tif 000007
【図６】
2009086477.tif 000008
【図７】
2009086477.tif 000009
【図８】
2009086477.tif 000010
【図９】
2009086477.tif 000011